【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  外部装置から印刷データを含む印刷ジョブを受信し、画像データに基づいて画像形成部に画像形成させる印刷制御装置であって、
印刷データを格納する格納手段と、
印刷データを解析処理して画像データを生成する生成手段と、
前記生成手段により生成された画像データに基づいて前記画像形成部に画像形成させる画像形成制御手段と、
前記生成手段により第１の印刷ジョブの印刷データの解析処理が行われているときに第２の印刷ジョブの割り込みが指示された場合に、前記第２の印刷ジョブの印刷データを前記第１の印刷ジョブの印刷データの解析処理に割り込ませて前記生成手段に解析処理させる割り込み制御手段とを有し、
前記格納手段は、前記画像形成部が前記第２の印刷ジョブの印刷データから生成される画像データに基づいて画像を形成し終えるまで、前記生成手段によりすでに解析処理された部分も含めて、前記第１の印刷ジョブの印刷データを格納しておき、
前記生成手段は、前記第２の印刷ジョブの印刷データを解析処理した後で、前記第１の印刷ジョブの印刷データを、前記生成手段によりすでに解析処理された部分も含めて、解析処理することを特徴とする印刷制御装置。
【請求項２】  前記割り込み制御手段は、外部装置からの印刷ジョブの割り込み指示に応じて、前記生成手段に、前記第１の印刷ジョブの印刷データの解析処理を中止させて、前記第２の印刷ジョブの印刷データを解析処理させるように制御することを特徴とする請求項１に記載の印刷制御装置。
【請求項３】  前記割り込み制御手段は、外部装置からの前記割り込み指示に応じて、前記画像形成制御手段に、前記第１の印刷ジョブに係わる画像データに基づく画像形成を前記画像形成部にさせることを中止させることを特徴とする請求項２に記載の印刷制御装置。
【請求項４】  前記割り込み制御手段は、外部装置からの前記割り込み指示に応じて、前記画像形成部に、前記前記第１の印刷ジョブに係わる画像データに基づく画像形成することを中止させることを特徴とする請求項２或いは３に記載の印刷制御装置。
【請求項５】  前記割り込み制御手段は、外部装置からの前記割り込み指示に応じて、前記生成手段により生成された画像データを全て削除することを特徴とする請求項２乃至４のいずれかに記載の印刷制御装置。
【請求項６】  前記割り込み制御手段は、外部装置からの前記割り込み指示に応じて、前記生成手段により生成された画像データを全て無効とすることを特徴とする請求項２乃至４のいずれかに記載の印刷制御装置。
【請求項７】  前記第２の印刷ジョブの割り込み指示は、当該第２の印刷ジョブに含まれていることを特徴とする請求項２乃至６のいずれかに記載の印刷制御装置。
【請求項８】  前記印刷ジョブの割り込み指示に基づく割り込みを許可するか否かを判定する判定手段を有し、
前記割り込み制御手段は、前記判定手段が許可しないと判定した場合には、前記生成手段に、前記第１の印刷ジョブの印刷データの解析処理に割り込ませて、前記第２の印刷ジョブの印刷データを解析処理させるように制御しないことを特徴とする請求項２乃至７のいずれかに記載の印刷制御装置。
【請求項９】  前記割り込み指示に基づく割り込みを許可するか否かを設定する設定手段を有し、
前記判定手段は、前記設定手段により前記割り込み指示に基づく割り込みを許可すると設定されている場合には、前記割り込み指示に基づく割り込みを許可すると判定することを特徴とする請求項８に記載の印刷制御装置。
【請求項１０】  外部装置から印刷データを含む印刷ジョブを受信し、画像データに基づいて画像形成部に画像形成させる印刷制御方法であって、
印刷データを格納手段に格納する格納ステップと、
印刷データを解析処理して画像データを生成する生成ステップと、
前記生成ステップにより生成された画像データに基づいて前記画像形成部に画像形成させる画像形成制御ステップと、
前記生成ステップにおいて第１の印刷ジョブの印刷データの解析処理が行われているときに第２の印刷ジョブの割り込みが指示された場合に、前記第２の印刷ジョブの印刷データを前記第１の印刷ジョブの印刷データの解析処理に割り込ませて前記生成ステップで解析処理させる割り込み制御ステップとを有し、
前記格納ステップは、前記画像形成部が前記第２の印刷ジョブの印刷データから生成される画像データに基づいて画像を形成し終えるまで、前記生成手段によりすでに解析処理された部分も含めて、前記第１の印刷ジョブの印刷データを前記格納手段に格納しておき、
前記生成ステップは、前記第２の印刷ジョブの印刷データを解析処理した後で、前記第１の印刷ジョブの印刷データを、前記生成ステップによりすでに解析処理された部分も含めて、解析処理することを特徴とする印刷制御方法。
【請求項１１】  前記割り込み制御ステップは、外部装置からの印刷ジョブの割り込み指示に応じて、前記生成ステップに、前記第１の印刷ジョブの印刷データの解析処理を中止させて、前記第２の印刷ジョブの印刷データを解析処理させるように制御することを特徴とする請求項１０に記載の印刷制御方法。
【請求項１２】  前記割り込み制御ステップは、外部装置からの前記割り込み指示に応じて、前記画像形成制御ステップに、前記第１の印刷ジョブに係わる画像データに基づく画像形成を前記画像形成部にさせることを中止させることを特徴とする請求項１１に記載の印刷制御方法。
【請求項１３】  前記割り込み制御ステップは、外部装置からの前記割り込み指示に応じて、前記画像形成部に、前記第１の印刷ジョブに係わる画像データに基づく画像形成することを中止させることを特徴とする請求項１１或いは１２に記載の印刷制御方法。
【請求項１４】  前記割り込み制御ステップは、外部装置からの前記割り込み指示に応じて、前記生成ステップにより生成された画像データを全て削除することを特徴とする請求項１１乃至１３のいずれかに記載の印刷制御方法。
【請求項１５】  前記割り込み制御ステップは、外部装置からの前記割り込み指示に応じて、前記生成ステップにより生成された画像データを全て無効とすることを特徴とする請求項１１乃至１３のいずれかに記載の印刷制御方法。
【請求項１６】  前記第２の印刷ジョブの割り込み指示は、当該第２の印刷ジョブに含まれていることを特徴とする請求項１１乃至１５のいずれかに記載の印刷制御方法。
【請求項１７】  前記印刷ジョブの割り込み指示に基づく割り込みを許可するか否かを判定する判定ステップを有し、
前記割り込み制御ステップは、前記判定ステップが許可しないと判定した場合に、前記生成ステップに、前記第１の印刷ジョブの印刷データの解析処理に割り込ませて、前記第２の印刷ジョブの印刷データを解析処理させるように制御しないことを特徴とする請求項１１乃至１６のいずれかに記載の印刷制御方法。
【請求項１８】  前記割り込み指示に基づく割り込みを許可するか否かを設定する設定ステップを有し、
前記判定ステップは、前記設定ステップにより前記割り込み指示に基づく割り込みを許可すると設定されている場合には、前記割り込み指示に基づく割り込みを許可すると判定することを特徴とする請求項１７に記載の印刷制御方法。
【請求項１９】  外部装置から印刷データを含む印刷ジョブを受信し、画像データに基づいて画像形成部に画像形成させる印刷制御プログラムが格納された記録媒体であって、前記印刷制御プログラムは、
印刷データを格納手段に格納する格納ステップと、
印刷データを解析処理して画像データを生成する生成ステップと、
前記生成ステップにより生成された画像データに基づいて前記画像形成部に画像形成させる画像形成制御ステップと、
前記生成ステップにおいて第１の印刷ジョブの印刷データの解析処理が行われているときに第２の印刷ジョブの割り込みが指示された場合に、前記第２の印刷ジョブの印刷データを前記第１の印刷ジョブの印刷データの解析処理に割り込ませて前記生成ステップで解析処理させる割り込み制御ステップとを有し、
前記格納ステップは、前記画像形成部が前記第２の印刷ジョブの印刷データから生成される画像データに基づいて画像を形成し終えるまで、前記生成手段によりすでに解析処理された部分も含めて、前記第１の印刷ジョブの印刷データを前記格納手段に格納しておき、
前記生成ステップは、前記第２の印刷ジョブの印刷データを解析処理した後で、前記第１の印刷ジョブの印刷データを、前記生成ステップによりすでに解析処理された部分も含めて、解析処理することを特徴とする記録媒体。
【請求項２０】  外部装置から印刷データを含む印刷ジョブを受信し、画像データに基づいて画像形成部に画像形成させる印刷制御プログラム製品であって、
印刷データを格納手段に格納する格納ステップと、
印刷データを解析処理して画像データを生成する生成ステップと、
前記生成ステップにより生成された画像データに基づいて前記画像形成部に画像形成させる画像形成制御ステップと、
前記生成ステップにおいて第１の印刷ジョブの印刷データの解析処理が行われているときに第２の印刷ジョブの割り込みが指示された場合に、前記第２の印刷ジョブの印刷データを前記第１の印刷ジョブの印刷データの解析処理に割り込ませて前記生成ステップで解析処理させる割り込み制御ステップとを有し、
前記格納ステップは、前記画像形成部が前記第２の印刷ジョブの印刷データから生成される画像データに基づいて画像を形成し終えるまで、前記生成手段によりすでに解析処理された部分も含めて、前記第１の印刷ジョブの印刷データを前記格納手段に格納しておき、
前記生成ステップは、前記第２の印刷ジョブの印刷データを解析処理した後で、前記第１の印刷ジョブの印刷データを、前記生成ステップによりすでに解析処理された部分も含めて、解析処理することを特徴とする印刷制御プログラム製品。
【手続補正２】
【補正対象書類名】明細書
【補正対象項目名】００４０
【補正方法】変更
【補正の内容】
【００４０】
【課題を解決するための手段】
上記目的を達成するために、本願発明は、外部装置から印刷データを含む印刷ジョブを受信し、画像データに基づいて画像形成部に画像形成させる印刷制御装置であって、印刷データを格納する格納手段と、印刷データを解析処理して画像データを生成する生成手段と、前記生成手段により生成された画像データに基づいて前記画像形成部に画像形成させる画像形成制御手段と、前記生成手段により第１の印刷ジョブの印刷データの解析処理が行われているときに第２の印刷ジョブの割り込みが指示された場合に、前記第２の印刷ジョブの印刷データを前記第１の印刷ジョブの印刷データの解析処理に割り込ませて前記生成手段に解析処理させる割り込み制御手段とを有し、前記格納手段は、前記画像形成部が前記第２の印刷ジョブの印刷データから生成される画像データに基づいて画像を形成し終えるまで、前記生成手段によりすでに解析処理された部分も含めて、前記第１の印刷ジョブの印刷データを格納しておき、前記生成手段は、前記第２の印刷ジョブの印刷データを解析処理した後で、前記第１の印刷ジョブの印刷データを、前記生成手段によりすでに解析処理された部分も含めて、解析処理する。
【手続補正３】
【補正対象書類名】明細書
【補正対象項目名】００４１
【補正方法】削除
【補正の内容】
【手続補正４】
【補正対象書類名】明細書
【補正対象項目名】００４２
【補正方法】削除
【補正の内容】
【手続補正５】
【補正対象書類名】明細書
【補正対象項目名】００４３
【補正方法】削除
【補正の内容】
【手続補正６】
【補正対象書類名】明細書
【補正対象項目名】００４４
【補正方法】削除
【補正の内容】
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】削除
【補正の内容】
【手続補正９】
【補正対象書類名】明細書
【補正対象項目名】００４７
【補正方法】削除
【補正の内容】
【手続補正１０】
【補正対象書類名】明細書
【補正対象項目名】００４８
【補正方法】削除
【補正の内容】
【手続補正１１】
【補正対象書類名】明細書
【補正対象項目名】００４９
【補正方法】削除
【補正の内容】
【手続補正１２】
【補正対象書類名】明細書
【補正対象項目名】００５０
【補正方法】削除
【補正の内容】
【手続補正１３】
【補正対象書類名】明細書
【補正対象項目名】００５１
【補正方法】削除
【補正の内容】
【手続補正１４】
【補正対象書類名】明細書
【補正対象項目名】００５２
【補正方法】削除
【補正の内容】
【手続補正１５】
【補正対象書類名】明細書
【補正対象項目名】００５３
【補正方法】削除
【補正の内容】
【手続補正１６】
【補正対象書類名】明細書
【補正対象項目名】００５４
【補正方法】削除
【補正の内容】
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】削除
【補正の内容】
【手続補正１９】
【補正対象書類名】明細書
【補正対象項目名】００５７
【補正方法】削除
【補正の内容】
【手続補正２０】
【補正対象書類名】明細書
【補正対象項目名】００５８
【補正方法】削除
【補正の内容】
【手続補正２１】
【補正対象書類名】明細書
【補正対象項目名】００５９
【補正方法】削除
【補正の内容】
【手続補正２２】
【補正対象書類名】明細書
【補正対象項目名】００６０
【補正方法】削除
【補正の内容】
【手続補正２３】
【補正対象書類名】明細書
【補正対象項目名】００６１
【補正方法】削除
【補正の内容】
【手続補正２４】
【補正対象書類名】明細書
【補正対象項目名】００６２
【補正方法】削除
【補正の内容】
【手続補正２５】
【補正対象書類名】明細書
【補正対象項目名】００６３
【補正方法】削除
【補正の内容】
【手続補正２６】
【補正対象書類名】明細書
【補正対象項目名】００６４
【補正方法】削除
【補正の内容】
【手続補正２７】
【補正対象書類名】明細書
【補正対象項目名】００６５
【補正方法】削除
【補正の内容】
【手続補正２８】
【補正対象書類名】明細書
【補正対象項目名】００６６
【補正方法】削除
【補正の内容】
【手続補正２９】
【補正対象書類名】明細書
【補正対象項目名】００６７
【補正方法】削除
【補正の内容】
【手続補正３０】
【補正対象書類名】明細書
【補正対象項目名】００６８
【補正方法】削除
【補正の内容】
【手続補正３１】
【補正対象書類名】明細書
【補正対象項目名】００６９
【補正方法】削除
【補正の内容】
【手続補正３２】
【補正対象書類名】明細書
【補正対象項目名】００７０
【補正方法】削除
【補正の内容】
【手続補正３３】
【補正対象書類名】明細書
【補正対象項目名】００７１
【補正方法】削除
【補正の内容】
【手続補正３４】
【補正対象書類名】明細書
【補正対象項目名】００７２
【補正方法】削除
【補正の内容】
【手続補正３５】
【補正対象書類名】明細書
【補正対象項目名】００７３
【補正方法】削除
【補正の内容】
【手続補正３６】
【補正対象書類名】明細書
【補正対象項目名】００７４
【補正方法】削除
【補正の内容】
【手続補正３７】
【補正対象書類名】明細書
【補正対象項目名】００７５
【補正方法】削除
【補正の内容】
【手続補正３８】
【補正対象書類名】明細書
【補正対象項目名】００７６
【補正方法】削除
【補正の内容】
【手続補正３９】
【補正対象書類名】明細書
【補正対象項目名】００７７
【補正方法】削除
【補正の内容】
【手続補正４０】
【補正対象書類名】明細書
【補正対象項目名】００７８
【補正方法】削除
【補正の内容】
【手続補正４１】
【補正対象書類名】明細書
【補正対象項目名】００７９
【補正方法】削除
【補正の内容】
【手続補正４２】
【補正対象書類名】明細書
【補正対象項目名】００８０
【補正方法】削除
【補正の内容】
【手続補正４３】
【補正対象書類名】明細書
【補正対象項目名】００８１
【補正方法】削除
【補正の内容】
【手続補正４４】
【補正対象書類名】明細書
【補正対象項目名】００８２
【補正方法】削除
【補正の内容】
【手続補正４５】
【補正対象書類名】明細書
【補正対象項目名】００８３
【補正方法】削除
【補正の内容】
【手続補正４６】
【補正対象書類名】明細書
【補正対象項目名】００８４
【補正方法】削除
【補正の内容】
【手続補正４７】
【補正対象書類名】明細書
【補正対象項目名】００８５
【補正方法】削除
【補正の内容】
【手続補正４８】
【補正対象書類名】明細書
【補正対象項目名】００８６
【補正方法】削除
【補正の内容】
【手続補正４９】
【補正対象書類名】明細書
【補正対象項目名】００８７
【補正方法】削除
【補正の内容】
【手続補正５０】
【補正対象書類名】明細書
【補正対象項目名】００８８
【補正方法】削除
【補正の内容】
【手続補正５１】
【補正対象書類名】明細書
【補正対象項目名】００８９
【補正方法】削除
【補正の内容】
【手続補正５２】
【補正対象書類名】明細書
【補正対象項目名】００９０
【補正方法】削除
【補正の内容】
【手続補正５３】
【補正対象書類名】明細書
【補正対象項目名】００９１
【補正方法】削除
【補正の内容】
【手続補正５４】
【補正対象書類名】明細書
【補正対象項目名】００９２
【補正方法】削除
【補正の内容】
【手続補正５５】
【補正対象書類名】明細書
【補正対象項目名】００９３
【補正方法】削除
【補正の内容】
【手続補正５６】
【補正対象書類名】明細書
【補正対象項目名】００９４
【補正方法】削除
【補正の内容】
【手続補正５７】
【補正対象書類名】明細書
【補正対象項目名】００９５
【補正方法】削除
【補正の内容】
【手続補正５８】
【補正対象書類名】明細書
【補正対象項目名】００９６
【補正方法】削除
【補正の内容】